(57)【要約】【課題】冷間引抜き用潤滑油中のスケールやスラッジなどの夾雑物を効率よく取り除くことができる冷間引抜き用潤滑油ろ過装置、およびこのろ過装置が組み込まれた直接油潤滑抽伸装置を提供する。【解決手段】本発明のろ過装置は、冷間引抜き用潤滑油を収容する浴槽１と、浴槽内に設けられたメッシュ板２と、ペーパーフィルター３ａおよび当該フィルターをメッシュ板上に供給するフィルター供給手段３と、浴槽内への潤滑油供給手段４と、ろ過後の潤滑油を浴槽内から抜き出す引抜きポンプ５を有し、所定範囲のＳ含有量および動粘度を有する潤滑油を処理の対象とする。本発明の直接油潤滑抽伸装置はこのろ過装置が組み込まれた抽伸装置である。ペーパーフィルターの粗さ範囲が５０〜１００μｍであり、２段以上のフィルター部を有するろ過装置が組み込まれていることが望ましい。【選択図】図２
2010137263.tif 000002
【特許請求の範囲】
【請求項１】
冷間引抜き用潤滑油ろ過装置であって、
前記潤滑油を収容する浴槽と、
前記浴槽内に設けられた、ペーパーフィルターを保持するメッシュ板と、
前記メッシュ板上に取り付けられたペーパーフィルターおよび当該フィルターをメッシュ板上に供給するフィルター供給手段と、
前記浴槽内に潤滑油を供給する潤滑油供給手段と、
ろ過後の潤滑油を前記浴槽内から抜き出す引抜きポンプを有し、
かつ、前記浴槽に収容される潤滑油の硫黄含有量が１０〜３０質量％であり、動粘度が５×１０-5〜２×１０-4ｍ2／ｓであること、
を特徴とする冷間引抜き用潤滑油ろ過装置。
【請求項２】
前記ペーパーフィルターの粗さの範囲が５０〜１００μｍであること、
を特徴とする請求項１に記載の冷間引抜き用潤滑油ろ過装置。
【請求項３】
前記の浴槽、メッシュ板、ならびにペーパーフィルターおよびフィルター供給手段を１段の装置本体とした場合に、当該１段の装置本体が２段以上設けられ、上段側の装置本体で処理された潤滑油が次の段の装置本体の浴槽内へ供給されるように構成されていること、を特徴とする請求項１または２に記載の冷間引抜き用潤滑油ろ過装置。
【請求項４】
ダイス、グリッパを備える引抜き手段と、冷間引抜きが施される直前の管の外表面に潤滑油を供給する潤滑油送給管と、使用後の潤滑油を回収する回収ホッパと、使用後の潤滑油を清浄化するために前記潤滑油送給管と回収ホッパの間に取り付けられた潤滑油清浄化手段を有する直接油潤滑抽伸装置であって、
前記潤滑油清浄化手段として、請求項１〜３のいずれかに記載の冷間引抜き用潤滑油のろ過装置が組み込まれていること、
を特徴とする直接油潤滑抽伸装置。
【発明の詳細な説明】
【技術分野】
【０００１】
本発明は、潤滑油に含まれるスケールその他の夾雑物を取り除いて清浄化するための冷間引抜き用潤滑油ろ過装置に関する。また、本発明は、管の冷間引き抜き時に使用した後の潤滑油を清浄化する手段として当該ろ過装置が組み込まれた直接油潤滑抽伸装置に関する。
【０００２】
別に記載がない限り、本明細書における用語の定義は次のとおりである。
「ペーパーフィルターの粗さ」：フィルターの目開き（目の大きさ）をいう。例えば、「ペーパーフィルターの粗さが１００μｍ」とは、フィルターの目の大きさが１００μｍであることを意味する。
【背景技術】
【０００３】
継目無管や溶接管を素管（母管）として寸法精度の向上、品質の改善を図るために、冷間引抜き法が広く使用されている。引抜き（抽伸）に際しては、管先端の口絞り（口付け）加工、熱処理、スケール除去（酸洗）、潤滑処理などの前処理が行われる。潤滑処理の目的は、管外面とダイスの間や、管内面とプラグの間の摩擦を低下させて焼き付きを防ぐためである。
【０００４】
潤滑法には、化成処理法、樹脂被膜潤滑法、油潤滑法がある。化成処理法では、素管の材質に応じて、リン酸塩処理、シュウ酸塩処理などの下地処理が施された後、潤滑処理（例：ステアリン酸ソーダを使用）が行われる。これにより、リン酸塩被膜やシュウ酸塩被膜の上に金属石けん膜が形成される。すなわち、下地処理被膜と潤滑処理剤とが互いに作用しあって非常に優れた潤滑性能を有する被膜（化成潤滑被膜）が得られる。そのため、従来、化成処理法が多用されてきた。しかし、化成処理法は、工程が複雑であり、かつ廃液などの処理にも配慮が必要である。
【０００５】
油潤滑法は、化成処理法に比べると潤滑性能が幾分劣るが、工程が非常に簡単であるという観点から最も望まれている潤滑法である。この潤滑法では、下地処理は行われず、酸洗後、管の表面に直接潤滑油が供給される（酸洗後、管の表面を若干粗くして潤滑剤の付着性（保持性）をよくするために硼酸処理が行われる場合もある）。そのため、この潤滑法は直接油潤滑法とも称される。
【０００６】
油潤滑法については、例えば、特許文献１に、潤滑油内のスケールを除去する手段を具備した直接油潤滑抽伸装置が記載されている。潤滑油が繰り返し使用される間に、パイプ表面から剥離したスケールが潤滑油内に混入する。同文献に記載されるスケール除去手段はこのスケールを潤滑油から分離するためのもので、潤滑油がスケール除去手段の傾斜板上を落下する間に、スケールが磁力により吸引され、分離される。傾斜板は、潤滑油の粘度に応じてその傾斜角度を変更できるように構成されている。したがって、このスケール除去手段によれば、潤滑油の粘度が変わっても十分に対応でき、潤滑油内の固体潤滑剤等はそのまま残してスケールのみを除去することができる、とされている。
【０００７】
しかし、特許文献１に記載される直接油潤滑抽伸装置には次のような問題がある。すなわち、（ａ）スケール除去手段が大規模なものとなり、それに応じた広い設置面積が必要になる。（ｂ）当該スケール除去手段で除去できるのは、スケールのような磁性をもったもののみであり、スラッジなどの夾雑物を除去することはできない。
【０００８】
油潤滑処理を施して管の冷間引抜き行うに際しては、潤滑油を繰り返し使用する間に潤滑油内にスケールやスラッジなどの夾雑物（混じり物、不純物）が混入する。
【０００９】
これら夾雑物のうちのスケールは、引抜き時に管の表面から剥離したものである。潤滑油内に含まれるスケールは管の表面に疵を発生させる。また、スケールが増加すると、油供給配管の詰まりや圧送ポンプの故障を引き起こすおそれもある。スラッジは、主として潤滑油が抽伸加工時の摩擦熱により一部変質するなどして生じたものである。化成処理を施した場合には、化成潤滑被膜のカスが残存してスラッジとなる。このスラッジや鉄分（スケールに由来する）などの夾雑物が抽伸加工後に管内に残存すると、その後の熱処理で管の内面に固化、付着し、引抜き後に管内面汚れを生じさせる。
【００１０】
そのため、油潤滑処理を施して管の冷間引抜き行うにあたっては、繰り返し循環使用される潤滑油内のスケールやスラッジなどの夾雑物を効率よく除去できる、しかも簡素な潤滑油清浄化装置の開発が望まれている。
【特許文献１】特開昭６１−２０２７１３号公報
【発明の開示】
【発明が解決しようとする課題】
【００１１】
本発明の目的は、冷間引抜き用潤滑油中のスケールやスラッジなどの夾雑物を効率よく取り除くことができ、しかも構成が簡素である冷間引抜き用潤滑油ろ過装置を提供することである。
【００１２】
本発明の他の目的は、前記冷間引抜き用潤滑油ろ過装置が組み込まれた直接油潤滑抽伸装置を提供することである。油潤滑処理を施して管の冷間引抜き行うに際し、潤滑油内に混入するスケールやスラッジなどの夾雑物を取り除いて、引抜き後の管の品質、性状を向上させるためである。
【課題を解決するための手段】
【００１３】
本発明の要旨は、次のとおりである：
【００１４】
（１）冷間引抜き用潤滑油ろ過装置であって、
前記潤滑油を収容する浴槽と、
前記浴槽内に設けられた、ペーパーフィルターを保持するメッシュ板と、
前記メッシュ板上に取り付けられたペーパーフィルターおよび当該フィルターをメッシュ板上に供給するフィルター供給手段と、
前記浴槽内に潤滑油を供給する潤滑油供給手段と、
ろ過後の潤滑油を前記浴槽内から抜き出す引抜きポンプを有し、
かつ、前記浴槽に収容される潤滑油の硫黄（Ｓ）含有量が１０〜３０質量％であり、動粘度が５×１０-5〜２×１０-4ｍ2／ｓであること、を特徴とする冷間引抜き用潤滑油ろ過装置。
【００１５】
本発明の冷間引抜き用潤滑油ろ過装置において、ペーパーフィルターの粗さの範囲が５０〜１００μｍであれば（この実施の形態を、「実施形態１」という）、潤滑油中のスケールその他の夾雑物を効率よく取り除くことができ望ましい。
【００１６】
本発明の冷間引抜き用潤滑油ろ過装置（前記実施形態１のろ過装置を含む）が、浴槽、メッシュ板、ならびにペーパーフィルターおよびフィルター供給手段を１段の装置本体とした場合に、当該１段の装置本体が２段以上設けられ、上段側の装置本体で処理された潤滑油が次の段の装置本体の浴槽内へ供給されるように構成されたろ過装置であれば（この実施の形態を、「実施形態２」という）、潤滑油中のスケールその他の夾雑物をより効率よく取り除くことができる。
【００１７】
（２）ダイス、グリッパを備える引抜き手段と、冷間引抜きが施される直前の管の外表面に潤滑油を供給する潤滑油送給管と、使用後の潤滑油を回収する回収ホッパと、使用後の潤滑油を清浄化するために前記潤滑油送給管と回収ホッパの間に取り付けられた潤滑油清浄化手段を有する直接油潤滑抽伸装置であって、
前記潤滑油清浄化手段として、前記（１）に記載の冷間引抜き用潤滑油のろ過装置が組み込まれていることを特徴とする直接油潤滑抽伸装置。
【発明の効果】
【００１８】
本発明の冷間引抜き用潤滑油ろ過装置を使用すれば、冷間引抜き用潤滑油中のスケールやスラッジなどの夾雑物を効果的に取り除いて、潤滑油を清浄化することができる。
【００１９】
本発明の直接油潤滑抽伸装置は、本発明の潤滑油ろ過装置が組み込まれた直接油潤滑抽伸装置である。油潤滑処理を施して管の冷間引抜き行うに際し、潤滑油内に混入するスケールやスラッジなどの夾雑物を取り除いて、引抜き後の管の品質、性状（特に管内面性状）を向上させることができる。また、潤滑油の清浄化に使用するろ過装置は構成が簡素で、コンパクトである。したがって、直接油潤滑抽伸装置の設置面積の大幅な縮小が可能である。
【発明を実施するための最良の形態】
【００２０】
本発明者は、管の冷間引抜き時に使用した潤滑油内に含まれるスケールやスラッジなどの夾雑物を取り除くために、ペーパーフィルターの使用について検討した。その結果、潤滑油として冷間引抜き用の低粘度潤滑油を使用することによって、ペーパーフィルターろ過機の適用が可能であることを確認した。
【００２１】
低粘度潤滑油としては、Ｓ含有量が１０〜３０質量％で、動粘度が５×１０-5〜２×１０-4ｍ2／ｓ（５０〜２００ｃＳｔ）の潤滑油が使用できる。
【００２２】
図１は、本発明の冷間引抜き用潤滑油ろ過装置の概略構成例を示す縦断面図である。図１に示すように、このろ過装置は底部近傍にメッシュ板２を備えた浴槽１と、メッシュ板２上に取り付けられたペーパーフィルター３ａ、および当該フィルター３ａをメッシュ板２上に供給するフィルター供給手段３を有し、浴槽１内に潤滑油４ａを供給する潤滑油供給手段４と、ろ過後の潤滑油を前記浴槽１内から抜き出す引抜きポンプ５を具備している。さらに、この例では、使用後のペーパーフィルター３ａを浴槽１内から取り出すフィルター取出し手段６が取り付けられている。
【００２３】
管の冷間引抜き時に使用されたスケールやスラッジなどの夾雑物が含まれる潤滑油は、潤滑油供給手段４を介して浴槽１内に供給される。浴槽１の底部近傍に設けられたメッシュ板２上には、ペーパーフィルター３ａが取り付けられ、引抜きポンプ５により浴槽１の底部から吸引されている。そのため、潤滑油４ａ中の夾雑物はペーパーフィルター３ａによりろ過分離され、清浄化された潤滑油のみがメッシュ板２を通過して浴槽１外へ抜き出される。
【００２４】
メッシュ板２上に取り付けられたペーパーフィルター３ａはろ過処理の進行に伴い目詰まりして、ろ過速度が低下する。そのため、新しいペーパーフィルター３ａがフィルター供給手段３により浴槽１の片側から適宜メッシュ板２上に供給される。一方、目詰まりしたペーパーフィルター３ａは浴槽１の他方の側から取り出される。図示した例では、フィルター取出し手段６が浴槽１の他方の側に取り付けられている。目詰まりしたペーパーフィルター３ａはこのフィルター取出し手段６により自動的に浴槽１外に取り出される。
【００２５】
図１に示した例では、ろ過後の潤滑油を抜き出す配管に引抜きポンプ５の圧力を測定するための圧力計７が取り付けられている。引抜きポンプ５の圧力が一定の圧力に達すると、フィルター供給手段３およびフィルター取出し手段６が連動して、メッシュ板２上のペーパーフィルター３ａの交換が行われる。なお、引抜きポンプ５が示す前記「一定の圧力」は、ペーパーフィルター３ａの目詰まりの程度と引抜きポンプ５の圧力の関係をあらかじめ調べておくことにより定められる。
【００２６】
ペーパーフィルターの粗さについて特に限定はない。処理対象の冷間引抜き用潤滑油中には粒径が比較的大きい粒子から微細な粒子まで広範囲の粒径分布を有する夾雑物が含まれている。一般に、目の粗いペーパーフィルターを用いれば、粒径が比較的小さい粒子は除去されない。目の細かいペーパーフィルターを用いれば、目詰まりが生じてろ過処理が困難になる。したがって、ペーパーフィルターとしては、潤滑油中に含まれる夾雑物の性状（粒径分布や含有量等）をあらかじめ把握しておき、どの程度の夾雑物を除去するかを判断して、最適な粗さのペーパーフィルターを選定すればよい。なお、潤滑油には極圧添加剤その他の添加剤が含まれることがある。これら添加剤の粒子を分離除去しない粗さをもったペーパーフィルターを使用する。
【００２７】
本発明の冷間引抜き用潤滑油ろ過装置において、処理の対象となる潤滑油は、Ｓ含有量が１０〜３０質量％であり、動粘度が５×１０-5〜２×１０-4ｍ2／ｓの範囲内の潤滑油である。Ｓ含有量が前記範囲から外れると、焼付きが発生し、あるいは抽伸加工後の熱処理で管内面に焼鈍残渣が残りやすくなる。また、動粘度が５×１０-5ｍ2／ｓより低いと、管表面への潤滑油の付着量が少なく、やはり潤滑性能が低下する。一方、潤滑油の動粘度が２×１０-4ｍ2／ｓを超えると、ろ過処理が困難になる。
【００２８】
前記実施形態１のろ過装置は、ペーパーフィルターの粗さの範囲を５０〜１００μｍとしたろ過装置である。ペーパーフィルターの粗さがこの範囲内であれば、管の冷間引抜きに使用した後の潤滑油に含まれるスケールその他の夾雑物を効率よく取り除くことができる。ペーパーフィルターの粗さが１００μｍよりも粗い場合は、特に粒径が比較的小さい夾雑物のろ過分離ができにくくなる。また、ペーパーフィルターの粗さが５０μｍよりも細かい場合は、分離性能は向上するが、目詰まりが生じ易くなる。
【００２９】
実施形態２のろ過装置は、浴槽、メッシュ板、ならびにペーパーフィルターおよびフィルター供給手段を１段の装置本体とした場合に、当該１段の装置本体が２段以上設けられ、上段側の装置本体で処理された潤滑油が次の段の装置本体の浴槽内へ供給されるように構成されたろ過装置である。
【００３０】
この実施形態２のろ過装置では、潤滑油の処理の流れ（工程）において直列に２箇所以上にペーパーフィルターを取り付けることができる。この場合、上段側の装置本体で目の粗いペーパーフィルターを使用し、その次の段では前記フィルターよりも目の細かいペーパーフィルターを使用することが望ましい。これにより、上段側の装置本体で粒径が比較的大きい夾雑物を除去し、次の段で粒径が比較的小さい夾雑物を除去することができる。上段で粒径の大きい夾雑物が除去されるので、次の段で、フィルターの目詰まりを生じさせずに粒径の小さい夾雑物を効率よく除去することができる。
【００３１】
前記装置本体の段数は２段以上何段でもよい。例えば、１段目および２段目で目の粗いペーパーフィルターを使用して粒径の大きい夾雑物をほぼ完全に除去し、３段目以降で粒径の小さい夾雑物をより効率よく除去することも可能である。
【００３２】
しかし、装置本体の段数が増えるとその分設備費が増大する。したがって、通常は、２段とするのがよい。この場合、後述する実施例で示すように、１段目の装置本体で粗さが１００μｍのペーパーフィルターを使用し、２段目で粗さが５０μｍのペーパーフィルターを使用することが望ましい。
【００３３】
本発明の冷間引抜き用潤滑油のろ過装置を使用すれば、冷間引抜き用潤滑油中のスケールやスラッジなどの夾雑物を効果的に取り除いて、潤滑油を清浄化することができる。
【００３４】
本発明の直接油潤滑抽伸装置は、潤滑油の清浄化手段として、前記本発明のろ過装置（前記実施形態１または実施形態２のろ過装置を含む）が組み込まれた直接油潤滑抽伸装置である。
【００３５】
図２は、本発明の直接油潤滑抽伸装置のレイアウトを例示する図である。同図に示すように、本発明の抽伸装置は、引抜き手段８と、管の外表面に潤滑油を供給する潤滑油送給管９と、使用後の潤滑油を回収する回収ホッパ１０と、潤滑油清浄化手段を有している。なお、図２に示した例では、引抜き手段８として、プラグ（心金）１１を管内に挿入する心金引きの抽伸機８ａが使用されているので、管１２の内面に潤滑油を塗布する潤滑油送給管９ａと潤滑油送給ポンプ１３ａが取り付けられている。また、回収ホッパ１０に回収された使用後の潤滑油１４を潤滑油清浄化手段へ送り込む潤滑油回収管１５と、潤滑油回収ポンプ１６が取り付けられている。
【００３６】
引抜き手段８は、ダイス１７と、引抜きキャリッジ１８によって移動するグリッパ１９を備えている。引抜き手段８としては、図２に例示した心金引きの抽伸機８ａの他、空引き、マンドレル引きなどの各種の抽伸機が使用される。
【００３７】
潤滑油清浄化手段は、前記図１にその概略構成を例示した冷間引抜き用潤滑油のろ過装置である。本発明の油潤滑抽伸装置の特徴は、このろ過装置を用いて、繰り返し循環使用される潤滑油の清浄化を行う点にある。
【００３８】
本発明の油潤滑抽伸装置による管の冷間引抜きは以下のように行われる（図２参照）。
【００３９】
まず、管先端の口絞り加工、熱処理、酸洗などの前処理が施された管（素管）１２を抽伸機８ａの所定位置に配置する。次いで、潤滑油送給管９ａ、潤滑油送給ポンプ１３ａを介して中空のプラグ支持用棹１１ａ内に潤滑油を供給する。供給された潤滑油は棹１１ａの先端部とプラグ１１との接続部（ヤトイ）１１ｂから素管１２内面に塗布される。なお、ピストン弁１３ｂは、潤滑油送給ポンプ１３ａの残圧による潤滑油の過剰供給を防止するための残圧抜きの弁である。
【００４０】
続いて、管１２の先端（口絞り加工が施された端部）をダイス１７に通し、他端からプラグ１１を管内の所定位置まで送り込む。プラグ１１により押し込まれてダイス１７から突き出た口絞り部をグリッパ１９でつかむ。次いで、潤滑油送給ポンプ１３と潤滑油送給管９を介して管１２の表面に潤滑油を供給しながら、キャリッジ１８を白抜き矢印の方向に移動させて管１２を引き抜く。通常は繰り返し引抜きを行って製品とする。
【００４１】
ダイス１７を通して管を引き抜く際、管の外表面に供給された潤滑油（使用後の潤滑油）は回収ホッパ１０により回収される。管１２の内面に供給された潤滑油も、管１２がダイス１７を抜ける際に回収ホッパ１０内に回収される。回収された使用後の潤滑油１４は回収ポンプ１６により汲み出され、回収管１５を経由して潤滑油清浄化手段へ送り込まれる。
【００４２】
潤滑油清浄化手段へ送り込まれた使用後の潤滑油１４は、潤滑油供給手段４を介して浴槽１内に供給される。この潤滑油１４中のスケールやスラッジなどの夾雑物はペーパーフィルター３ａによりろ過分離され、清浄化された潤滑油のみがメッシュ板２を通過して浴槽１外へ抜き出される。
【００４３】
抜き出された潤滑油は、一旦容器（図示せず）に収容された後、潤滑油送給管９、９ａを経由して潤滑剤として再度使用される。
【００４４】
本発明の油潤滑抽伸装置において、潤滑油清浄化手段（すなわち、前記本発明のろ過装置）としては、前述の実施形態１または実施形態２のろ過装置を使用することが望ましい。例えば、実施形態２のろ過装置で、装置本体の段数が２段の装置を使用し、１段目で粗さが１００μｍのペーパーフィルターを用い、２段目で粗さが５０μｍのペーパーフィルターを用いれば、前述のように、ペーパーフィルターの目詰まりを生じさせることなく、潤滑油中のスケールやスラッジなどの夾雑物を効率よく取り除くことができる。
【００４５】
また、本発明の油潤滑抽伸装置において、使用後の潤滑油をろ過装置で処理する際の温度範囲を２５〜４５℃とすることが望ましい。使用後の潤滑油の温度が２５〜４５℃の範囲内であればろ過操作を支障なく行うことができる。特に、冬季においては、潤滑油の粘度が高くなるので、ろ過処理前に当該温度範囲まで加温する等の対策を講じるのが望ましい。
【００４６】
本発明の油潤滑抽伸装置を使用すれば、使用後の潤滑油の清浄化処理を効率よく行うことができる。本発明の油潤滑抽伸装置においては、使用後潤滑油の清浄化手段として本発明のろ過装置を使用するので、油潤滑抽伸装置全体をコンパクトにすることができる。これにより、同装置の設置スペースの大幅な低減が可能である。
【００４７】
また、本発明の油潤滑抽伸装置を使用することにより、引抜き後の管の品質、性状（特に内面性状）を向上させることができる。潤滑油内に混入するスケールやスラッジは引抜き管表面の疵や管内面の汚れ発生の原因となるが、使用後潤滑油の清浄化処理でこれら夾雑物を取り除くことができるからである。
【００４８】
さらに、本発明の油潤滑抽伸装置では、潤滑油の原単位を向上させることができるという副次的な効果も得られる。低粘度の潤滑油を使用するので、使用後の潤滑油のろ過処理の際に、ペーパーフィルターにより持ち出される油が減少するからである。
【実施例】
【００４９】
（実施例１）
前記図１に示した構成を有する本発明のろ過装置を用いて、管の冷間引抜きに使用した後の潤滑油を処理し、当該使用後の潤滑油に含まれる夾雑物の除去性能を調査した。管の冷間引抜きには前記図２に例示した心金引きの抽伸機８ａを用いた。なお、比較のため、遠心分離機による夾雑物の除去も行った。
【００５０】
調査に際し、まず、前記使用後の潤滑油（すなわち、ろ過処理前の潤滑油）に含まれる夾雑物の粒子径分布および夾雑物の総数（夾雑物の含有量に相当する）を測定し、１００μｍ、５０μｍおよび２０μｍの粒子径をもった夾雑物の数をそれぞれ求めた。これら夾雑物の数をそれぞれ夾雑物指数１として、夾雑物の除去性能を評価する基準とした。なお、粒子径分布の測定にはＲＩＯＮ社製の粒子径分布測定装置（ＲＩＯＮ  Ｐａｒｔｉｃｌｅ  Ｃｏｕｎｔｅｒ；光遮断方式）を用いた。
【００５１】
ろ過処理に用いたペーパーフィルター（マイト工業株式会社製；商品名ＰＭＴ−８０ＳＬ−Ｓ）の粗さは１００μｍ、５０μｍおよび１５μｍの３種類である。
【００５２】
最初に、前記使用後の潤滑油を粗さが１００μｍのペーパーフィルターを使用して処理した。処理後の潤滑油に含まれる夾雑物の粒子径分布および総数を測定して、処理前の潤滑油の場合と同様に、１００μｍ、５０μｍおよび２０μｍの粒子径をもった夾雑物の数をそれぞれ求めた。これら夾雑物の数を前記ろ過処理前の潤滑油についての夾雑物の数と比較して、それぞれの粒子径をもった夾雑物についての夾雑物指数を算出した。
【００５３】
続いて、粗さが１００μｍのペーパーフィルターを使用して処理した後の潤滑油を粗さが５０μｍのペーパーフィルターを使用して処理した。処理後の潤滑油に含まれる夾雑物の粒子径分布および総数を測定した。以下、同様に、１００μｍ、５０μｍおよび２０μｍの粒子径をもった夾雑物についてそれぞれの夾雑物指数を算出した。
【００５４】
最後に、粗さが５０μｍのペーパーフィルターを使用して処理した後の潤滑油を粗さが１５μｍのペーパーフィルターを使用して処理した。処理後の潤滑油に含まれる夾雑物の粒子径分布および総数を測定した。以下、同様に、１００μｍ、５０μｍおよび２０μｍの粒子径をもった夾雑物についてそれぞれの夾雑物指数を算出した。
【００５５】
なお、前記使用後の潤滑油を遠心分離機により処理した後の潤滑油に含まれる夾雑物についても、同様に、１００μｍ、５０μｍおよび２０μｍの粒子径をもった夾雑物それぞれの夾雑物指数を算出した。
【００５６】
調査結果を図３にまとめて示す。図３において、横軸の「ろ過前」とは、管の冷間引抜きに使用した後の潤滑油（使用後の潤滑油）である。
【００５７】
図３に示すように、使用後の潤滑油を粗さが１００μｍのペーパーフィルターを用いて処理した場合、粒子径が１００μｍの夾雑物についての夾雑物指数は０．４２であった。つまり、粒子径が１００μｍの夾雑物については６８％が除去された。一方、粒子径が５０μｍの夾雑物についての夾雑物指数は０．８０であり、除去率は２０％にとどまった。粒子径が２０μｍの夾雑物については、夾雑物指数が０．８６であり、除去率は１４％であった。
【００５８】
この結果を、同じく使用後の潤滑油を遠心分離機により処理した場合と比較すると、遠心分離機による処理では、粒子径１００μｍの夾雑物についての夾雑物指数は０．５７であり、ペーパーフィルターの方が夾雑物の除去性能が優れていることがわかる。粒子径が５０μｍまたは２０μｍの夾雑物についてもペーパーフィルターの方が優位であった。
【００５９】
粗さが１００μｍのペーパーフィルターで処理した後、粗さ５０μｍのペーパーフィルターを使用して処理した場合は、粒子径が１００μｍの夾雑物についての夾雑物指数は０であり、完全に除去された。粒子径が５０μｍの夾雑物については、およそ６０％が除去されたことがわかる。
【００６０】
粗さ５０μｍのペーパーフィルターで処理した後、粗さ１５μｍのペーパーフィルターを使用して処理した場合は、粒子径が１００μｍおよび５０μｍの夾雑物は完全に除去された。一方、粒子径が２０μｍの夾雑物については、夾雑物指数は０．３２程度にとどまり、完全には除去されなかった。
【００６１】
上記調査では、ペーパーフィルターを粗さが１００μｍのものから１５μｍのものへと順次変更してろ過処理を行ったが、最初から粗さが５０μｍのペーパーフィルターを使用した場合は、フィルターの目詰まりが生じ、処理を続けることができなかった。
【００６２】
以上の結果から、管の冷間引抜きに使用した後の潤滑油の処理について、次の事実が確認できた。
（１）遠心分離機による処理よりもペーパーフィルターによる処理の方が夾雑物の除去性能が優れている。
（２）ペーパーフィルターの粗さを、粗いものから細かいものへと順次変更してろ過処理を行うことが望ましい。
（３）ペーパーフィルターの粗さの変更を２段とし、１段目の粗さを１００μｍ、２段目の粗さを５０μｍとするのが望ましい。必要に応じて３段とし、３段目のペーパーフィルターの粗さを例えば１５μｍとするのがよい。
【００６３】
（実施例２）
前記図２に示した構成を有する本発明の油潤滑抽伸装置を用いて冷間引抜きを行い、引抜き後の管の内面汚れ不良率を調査した。なお、「管の内面汚れ」とは、前述のように、潤滑油内に含まれる主としてスラッジが原因となって生じる内面欠陥である。
【００６４】
潤滑油の清浄化手段として用いたろ過装置は２段とし、１段目のペーパーフィルターの粗さを１００μｍ、２段目のペーパーフィルターの粗さを５０μｍとした。
【００６５】
調査結果を図４に示す。図４において、「内面汚れ不良率」は、（内面汚れが認められた管の本数／調査した管の本数）×１００（％）により求め、稼働期間１週間毎に平均値で示した。なお、同図には、比較のため、遠心分離機により潤滑油の清浄化を行った場合の平均の内面汚れ不良率を表示した（●印）。
【００６６】
図４に示したように、遠心分離機により潤滑油の清浄化を行った場合、内面汚れ不良率は０．４６％であった。これに対し、ペーパーフィルターを使用したろ過装置により潤滑油の清浄化を行った場合は、稼働期間の経過とともに内面汚れ不良率は徐々に低下し、稼働後３週以降は０．１％以下になった。
【産業上の利用可能性】
【００６７】
本発明の冷間引抜き用潤滑油ろ過装置、およびこのろ過装置が組み込まれた本発明の直接油潤滑抽伸装置は、管の冷間引抜きに有効に利用することができる。
【図面の簡単な説明】
【００６８】
【図１】本発明の冷間引抜き用潤滑油ろ過装置の概略構成例を示す縦断面図である。
【図２】本発明の油潤滑抽伸装置のレイアウトを例示する図である。
【図３】本発明の実施例の結果で、夾雑物指数とペーパーフィルターの粗さの関係を夾雑物の粒子径をパラメータとして示した図である。
【図４】本発明の実施例の結果で、内面汚れ不良率の経時変化を示す図である。
【符号の説明】
【００６９】
１：浴槽、  ２：メッシュ板、  
３：フィルター供給手段、  ３ａ：ペーパーフィルター、  
４：潤滑油供給手段、  ４ａ：潤滑油、  ５：引抜きポンプ、  
６：フィルター取出し手段、  ７：圧力計、
８：引抜き手段、  ８ａ：心金引きの抽伸機、  
９：潤滑油送給管、  １０：回収ホッパ、  
１１：プラグ、  １１ａ：プラグ支持用棹、  １１ｂ：接続部（ヤトイ）
１２：管、  １３、１３ａ：潤滑油送給ポンプ、  １３ｂ：ピストン弁  
１４：潤滑油、  １５：潤滑油回収管、  １６：潤滑油回収ポンプ、  
１７：ダイス、  １８：引抜きキャリッジ、  １９：グリッパ
【図１】
2010137263.tif 000003
【図２】
2010137263.tif 000004
【図３】
2010137263.tif 000005
【図４】
2010137263.tif 000006